(57)【要約】【課題】対レーダシーカ用のシグネチャ及び対赤外線のシグネチャを同時に発生させることができるデコイシステムを提供する。【解決手段】電波を反射させることによって欺瞞を行うコーナーリフレクタ１と、欺瞞を行う空域へコーナーリフレクタ１を移動させる移動装置２と、を有し、コーナーリフレクタ１は、電波を反射させる電波反射膜１ａと、電波反射膜１ａを内部に有するバルーン１ｂと、からなり、バルーン１ｂは、内部に５０℃以上１００℃以下の高温ガスを有する。【選択図】図４
2013104565.tif 000002
【特許請求の範囲】
【請求項１】
シーカを欺瞞するためのデコイシステムであって、
電波を反射させることによって前記欺瞞を行うコーナーリフレクタと、
前記欺瞞を行う空域へ前記コーナーリフレクタを移動させる移動装置と、を有し、
前記コーナーリフレクタは、電波を反射させる電波反射膜と、
前記電波反射膜を内部に有するバルーンと、からなり、
前記バルーンは、内部に５０℃以上１００℃以下の高温ガスを有する、ことを特徴とするデコイシステム。
【請求項２】
前記移動装置は、地上又は艦艇に設置された発射台と、
前記コーナーリフレクタを収納する飛翔体と、
前記コーナーリフレクタの落下を遅らせるためのパラシュートと、を有し、
前記飛翔体は、発射台から前記欺瞞を行う空域に向かって発射され、所定の時間に前記コーナーリフレクタを展開させ、
前記コーナーリフレクタは、前記展開後、前記パラシュートと共に落下する、ことを特徴とする請求項１に記載のデコイシステム。
【請求項３】
前記移動装置は、前記コーナーリフレクタに前記ガスを膨張させるブロアと、
前記コーナーリフレクタを上空に浮上するための浮上装置と、
前記膨張前の前記コーナーリフレクタを収納する搭載スペースと、を有し、
前記ブロアは、外部の空気を取り込む吸引装置と、
前記空気を加熱する加熱装置と、
前記コーナーリフレクタを張り出し、加熱した前記空気によって膨張させる膨張装置と、を有する、ことを特徴とする請求項１に記載のデコイシステム。
【請求項４】
前記バルーンは、内部にガスが供給されると、ガス圧で膨張して環状になる環状体バルーンであり、
前記電波反射膜は、前記環状を含む平面に展開するように、外周縁部が前記環状体バルーンに取り付けられおり、
３つの前記環状体バルーンが、膨張時に互いに直交するように設けられている、ことを特徴とする請求項１乃至請求項３に記載のデコイシステム。
【発明の詳細な説明】
【技術分野】
【０００１】
本発明は、電波を反射及び熱源による赤外線放射することで敵等を欺瞞するためのデコイシステムに関する。
【背景技術】
【０００２】
レーダターゲットとして一般的に使用されるコーナーリフレクタは、例えば、特許文献１に記載されている。特許文献１のコーナーリフレクタは、図１の構成を有する。コーナーリフレクタは、図１のように、互いに直交する３つの電波反射膜２１を８組有する。これにより、コーナーリフレクタに対し、どの角度から電波が入射してきても、コーナーリフレクタによって、電波が入射してきた方向に反射することができる。
例えば、図２のように、電波Ａと電波Ｂのいずれについても、互いに直交する電波反射膜２１により、入射してきた方向に反射することができる。
【０００３】
コーナーリフレクタは、飛翔体、船、地上などから放出され、その後、空中や水上で図１の形状に展開する。そのために、コーナーリフレクタは、例えば、図１の例のように、バルーン２３を有する。このバルーン２３は、膨張すると球形となる。この膨張により、各電波反射膜２１が図１のように展開するようにバルーン２３の内部に取り付けられている。なお、図１の例では、ボンベ２５がバルーン２３内にガスを供給することで、バルーンを球形に膨張させる。
【０００４】
上述のような構成により、例えば、空中で展開したコーナーリフレクタに、追尾用レーダ装置やミサイルのレーダシーカから電波が入射すると、コーナーリフレクタは、図２のように電波を入射してきた方向に反射することができる。これにより、コーナーリフレクタをレーダのおとりにすることができる。
【０００５】
なお、本願の他の先行技術文献として、下記の特許文献２がある。
【先行技術文献】
【特許文献】
【０００６】
【特許文献１】特開平０４−３５５３８８号公報
【特許文献２】特開平０９−１９０５８５号公報
【発明の概要】
【発明が解決しようとする課題】
【０００７】
上記特許文献に記載されているようなコーナーリフレクタについて、電波反射によって、レーダシーカに対する欺瞞を行うことができるが、同時に赤外線シーカを欺瞞することはできず、別途熱源によって赤外線を発射させて行うシグネチャを発生させるデコイを用いる必要があった。
【０００８】
そこで、本発明の目的は、対レーダシーカ用のシグネチャ及び対赤外線のシグネチャを同時に発生させるためのデコイシステムを提供することにある。
【課題を解決するための手段】
【０００９】
上記目的を達成するため、本発明によれば、シーカを欺瞞するためのデコイシステムであって、
電波を反射させることによって前記欺瞞を行うコーナーリフレクタと、
前記欺瞞を行う空域へ前記コーナーリフレクタを移動させる移動装置と、を有し、
前記コーナーリフレクタは、電波を反射させる電波反射膜と、
前記電波反射膜を内部に有するバルーンと、からなり、
前記バルーンは、内部に５０℃以上１００℃以下の高温ガスを有する、ことを特徴とするデコイシステムが提供される。
【００１０】
また、本発明の実施形態によれば、前記移動装置は、地上又は艦艇に設置された発射台と、
前記コーナーリフレクタを収納する飛翔体と、
前記コーナーリフレクタの落下を遅らせるためのパラシュートと、を有し、
前記飛翔体は、発射台から前記欺瞞を行う空域に向かって発射され、所定の時間に前記コーナーリフレクタを展開させ、
前記コーナーリフレクタは、前記展開後、前記パラシュートと共に落下する。
【００１１】
また、本発明の別の実施形態によれば、前記移動装置は、前記コーナーリフレクタに前記ガスを膨張させるブロアと、
前記コーナーリフレクタを上空に浮上するための浮上装置と、
前記膨張前の前記コーナーリフレクタを収納する搭載スペースと、を有し、
前記ブロアは、外部の空気を取り込む吸引装置と、
前記空気を加熱する加熱装置と、
前記コーナーリフレクタを張り出し、加熱した前記空気によって膨張させる膨張装置と、を有する。
【００１２】
また、本発明の好ましい実施形態によれば、前記バルーンは、内部にガスが供給されると、ガス圧で膨張して環状になる環状体バルーンであり、
前記電波反射膜は、前記環状を含む平面に展開するように、外周縁部が前記環状体バルーンに取り付けられおり、
３つの前記環状体バルーンが、膨張時に互いに直交するように設けられている。
【発明の効果】
【００１３】
本発明によると、コーナーリフレクタのバルーン内部に、５０℃以上１００℃以下の高温ガスを入れることによって、電波反射を行うと同時に、赤外線が放射されるため、対レーダシーカ用のシグネチャ及び対赤外線のシグネチャを同時に発生させることができる。
【図面の簡単な説明】
【００１４】
【図１】従来技術におけるコーナーリフレクタの構成図を示す。
【図２】従来技術におけるコーナーリフレクタの作用を説明する図である。
【図３】本発明におけるコーナーリフレクタの図である。
【図４】本発明の第１形態におけるデコイシステムの図である。
【図５】本発明の第２形態におけるデコイシステムの図である。
【図６】本発明のデコイシステムで使用する環状型バルーンの構成図である。
【発明を実施するための形態】
【００１５】
本発明の好ましい実施形態を図面に基づいて説明する。なお、各図において共通する部分には同一の符号を付し、重複した説明を省略する。
【００１６】
図３は、本発明におけるコーナーリフレクタの図である。
図４は、本発明の第１形態におけるデコイシステムの図である。
この図において、１はコーナーリフレクタ、１ａは電波反射膜、１ｂはバルーン、２は移動装置、３は飛翔体、４はパラシュート、５はデコイシステム、６ａは発射台、６ｂは艦艇である。
【００１７】
この実施形態におけるデコイシステム５は、コーナーリフレクタ１にパラシュート４が接続されており、移動装置２によって発射された飛翔体３の展開が行われた後、コーナーリフレクタ１が海上又は地上に落下するまで敵等に対して欺瞞を行う。
【００１８】
コーナーリフレクタ１は、この例では、ガス圧で膨張して球状になるバルーン１ｂと、円形形状であって、互いに中心において直交している３つの電波反射膜１ａを有しており、かかる電波反射膜によって、レーダシーカを欺瞞することができるものを想定している。
さらに、コーナーリフレクタ１は、この例では、内部に５０℃〜１００℃程度のガスを有しており、かかるガス温度によって、高レベルの赤外線を放射するため、赤外線シーカに対しても欺瞞することができる構成になっている。
【００１９】
ここで、コーナーリフレクタ１に充填するガスの温度は、低すぎると熱源として不十分であり、逆に高すぎると敵等が欺瞞していることに気がついてしまう恐れがある。
そのため、上記ガスの温度は６０℃〜８０℃程度に設定することがより望ましい。
また、上記ガスの温度を所定の温度に維持するようにコーナーリフレクタに保温装置（図示しない）を設置させておく構造であってもよい。
【００２０】
飛翔体３は、艦艇６ｂに搭載された発射台６ａから発射され、所定の時間に展開され、コーナーリフレクタ１及びパラシュート４を放出する。
その後、パラシュート４を開き、接続されているコーナーリフレクタ１と共に落下を行う。
かかる落下を行っている間に、コーナーリフレクタ１が有する電波反射膜によってレーダシーカを欺瞞し、かつ、コーナーリフレクタ１内の高温ガスによって赤外線シーカを欺瞞することができる。
【００２１】
飛翔体３の展開は、予め所定時間に展開するように展開時間が設定可能な制御装置（図示しない）を有する構成であってよい。
一方、例えば、艦艇６ｂ等から展開のタイミングについて信号を受信するための受信装置（図示しない）を有する構成にして、かかる信号を受信したタイミングで展開させる構成であってもよい。
【００２２】
パラシュート４は、上記飛翔体３の展開が行われると同時又は一定時間経過後に開くような構成でよい。
【００２３】
なお、この例において、発射台６ａは艦艇６ｂに設置されているが、地上に設置されている形式でもよい。
【００２４】
図５は、本発明の第２形態におけるデコイシステムの図である。図５（Ａ）は、デコイシステムの上面図であり、図５（Ｂ）は、デコイシステムの側面図である。
この図において、７は浮上装置、８はブロア、８ａは吸引装置、８ｂは加熱装置、８ｃは膨張装置、９は搭載スペース、１０はデコイシステムである。
【００２５】
この実施形態におけるデコイシステム１０は、コーナーリフレクタ１及び移動装置２からなり、移動装置２によって浮上した後、艦上、海上又は地上に降下するまで敵等の欺瞞を行う。
【００２６】
移動装置２は、この例では、２機の浮上装置７を有しており、地上や艦艇等の甲板から垂直に浮上又は下降することができる。
【００２７】
ブロア８は移動装置２に内蔵又は接続されており、外部から空気を取り込むための吸引装置８ａ、取り込んだ空気を加熱するための加熱装置８ｂ、コーナーリフレクタ１を搭載スペースから張り出させ、加熱した空気を送り込んで膨張させるための膨張装置８ｃを有している。
【００２８】
浮上装置７及びブロア８についての動力として移動装置２内にバッテリー（図示しない）を搭載させる構成であってもよい。
【００２９】
上記構成によれば、コーナーリフレクタ１の放出後において風等の影響を受けることなく自律的な運動ができる。
そのため、例えば、コーナーリフレクタ１について艦艇等と同様の動きをさせることによって、シーカをより高い確率で欺瞞する等の方法を取ることも可能になる。
また、動力としてバッテリー等を用いることによって、長時間にわたって欺瞞を行う空域に留まることが可能になるというメリットがある。
【００３０】
上述した図４及び図５の実施形態において使用するコーナーリフレクタ１において、球状のバルーンではなく、図６に記載されているように環状体のバルーンを使用することも可能である。
球状のバルーンに比較した場合に、環状体のバルーンは、気体を注入する領域が小さいため、素早い膨張を行うことができるというメリットを有している。
なお、図６において、１１はコーナーリフレクタ、１１ａは電波反射膜、１１ｂは環状体バルーン、１２はガスボンベである。
【００３１】
この実施形態において、コーナーリフレクタ１１は、電波反射膜１１ａ及び環状体バルーン１１ｂからなる。
電波反射膜１１ａは、この例において、導電性繊維を用いた布地によって形成されている。
導電性繊維は、例えば、ナイロンの繊維に金属膜（銅、銀など）をコーティングしたものであってよい。
この例において、電波反射膜１１ａは、３枚の円形の膜からなり、上記膨張時には平面が互いに直交用に組まれる構造になっている。好ましくは、電波反射膜１１ａは、各膜を二等分する弦が互いに直交するように組まれる形が望ましい。この構造によって、環状体バルーン１１ｂの膨張時には互いに直交する３つの電波反射膜１１ａを１組として、８組の電波反射膜１１ａが設けられることになる。
【００３２】
環状体バルーン１１ｂは、内部にガスが供給されると、ガス圧で膨張して環状になる。
環状体バルーン１１ｂを使用することによって、例えば、球状バルーンに比べ格段に少ないガス量でコーナーリフレクタ１１を膨張することが可能になる。
そのため、コーナーリフレクタ１１の膨張に要する時間を短縮することができるというメリットがある。
なお、環状体バルーン１１ｂは、ポリオレフィンやポリ塩化ビニルなどのプラスチックフィルムで形成されてよい。
【００３３】
また、好ましくは、環状体バルーン１１ｂの外周を拘束用布で包むことによって、環状体バルーン１１ｂが所定の限界体積以上に膨張することを抑制することが望ましい。
【００３４】
ガスボンベ１２は、例えば、コーナーリフレクタ１１が艦艇等から発射された飛翔体から放出されたことを契機に、図示しないガス供給装置によって、環状体バルーン１１ｂにガスを注入して膨張させる。
【００３５】
図５に記載のコーナーリフレクタ１に代えて図６に記載のコーナーリフレクタ１１を使用することによって、より迅速にコーナーリフレクタの膨張を行うことができるというメリットを有する。なお、ガスボンベとして火薬の燃焼ガスと通常の気体の圧縮ガスを混合させる複合式のガス発生器を用いることで、図５に記載の加熱装置８ｂ、膨張装置８ｃを使わずに、５０℃〜１００℃のガスでバルーンを膨張させることができる。
また、例えば、搭載スペース９のようにコーナーリフレクタ１１を収納するスペースを小さくすることができる。
【００３６】
本発明は上述した実施の形態に限定されず、本発明の要旨を逸脱しない範囲で種々変更を加え得ることは勿論である。
本発明のコーナーリフレクタは、敵等を欺瞞させるために用いる以外の用途にも使用してもよい。例えば、本発明のコーナーリフレクタを、特許文献２のように、遭難者の居場所を知らせるために使用してもよい。
【符号の説明】
【００３７】
１  コーナーリフレクタ、２  移動装置、３  飛翔体、４  パラシュート、
５  デコイシステム、６ａ  発射台、６ｂ  艦艇、７  浮上装置、
８  ブロア、８ａ  吸引装置、８ｂ  加熱装置、８ｃ  膨張装置、
９  搭載スペース、１０  デコイシステム、
１１  コーナーリフレクタ、１１ａ  電波反射膜、
１１ｂ  環状体バルーン、１２  ガスボンベ
【図１】
2013104565.tif 000003
【図２】
2013104565.tif 000004
【図３】
2013104565.tif 000005
【図４】
2013104565.tif 000006
【図５】
2013104565.tif 000007
【図６】
2013104565.tif 000008